(57)【特許請求の範囲】
【請求項１】
ロッカーボックスと該ロッカーボックスにヒンジ部により開閉可能に取り付けられたロッカー扉とを有する複数のロッカーユニットを備えたロッカー装置において、
前記ロッカー扉の前記ヒンジ部と反対側の自由端近傍に該ロッカー扉の前面から凹部をなして設けられた凹状把手部と、
該凹状把手部からさらに前記自由端側に設けられていて前記ヒンジ部と反対側斜め方向に発光面を向けてロッカーユニットの使用状態を表示する第１発光部と、
前記凹状把手部の凹部の内側であって前記ヒンジ部と反対側に設けられてロッカーユニットの使用状態を表示する第２発光部とを備え、
前記第２発光部の発光面を前記凹状把手部の開口から視認できるようにしたことを特徴とするロッカー装置。
【請求項２】
前記ロッカー扉は、該ロッカー扉の前面から前記自由端にかけて後方に傾斜する傾斜面を有し、前記第１発光部が該傾斜面に設けられていることを特徴とする請求項１に記載のロッカー装置。
【請求項３】
前記複数のロッカーユニットを２組有し、両組の間に集中制御装置が設けられ、各ロッカーユニットのロッカー扉の自由端が該集中制御装置側となっていることを特徴とする請求項１または２に記載のロッカー装置。
【請求項４】
前記第１発光部と第２発光部に対応する光源を共通光源としたことを特徴とする請求項１乃至３のいずれか一項に記載のロッカー装置。
【請求項５】
前記共通光源が前記ロッカーボックスの框部に設けられ、前記第１発光部と第２発光部が該共通光源からの光を導光する導光部材で構成されていることを特徴とする請求項４に記載のロッカー装置。
【請求項６】
前記ロッカー扉の前記自由端の裏面が前記框部の前面部に対向するよう該ロッカー扉とロッカーユニットが構成され、
前記共通光源が前記框部の前記前面部に設けられていることを特徴とする請求項５に記載のロッカー装置。
【請求項７】
前記ロッカー扉の閉状態で前記自由端が前記框部のロッカーボックス内側に収納可能となるように、該ロッカー扉と前記ロッカーユニットが構成され、
前記共通光源が前記框部のロッカーボックス内側に設けられていることを特徴とする請求項５に記載のロッカー装置。
【請求項８】
前記框部のロッカーボックス内側から前記ロッカー扉の自由端を介し入射する前記共通光源からの光を前記第１発光部を構成する前記導光部材に向けて反射する反射板を備えたことを特徴とする請求項７に記載のロッカー装置。
【発明の詳細な説明】
【技術分野】
【０００１】
本発明は、例えば駅構内等に設置され、複数の利用者にロッカーボックスを利用可能とした貸しロッカー等のロッカー装置に関する。
【背景技術】
【０００２】
従来、この種のロッカー装置として、例えば実公平７−２４７２７号公報（特許文献１）、実用新案登録第２５７２２２８号公報（特許文献２）、特開２００７−１０２２７３号公報（特許文献３）に開示されたものがある。この種のロッカー装置では、ロッカーボックスが使用中でることを示すために、ロッカー扉の自由端側に表示ランプを備えている。
【特許文献１】実公平７−２４７２７号公報
【特許文献２】実用新案登録第２５７２２２８号公報
【特許文献３】特開２００７−１０２２７３号公報
【発明の開示】
【発明が解決しようとする課題】
【０００３】
特許文献３のロッカー装置は中央に集中制御装置を備えており、利用者はこの集中制御装置の位置で操作を行うようになっている。このため、この特許文献３のロッカー装置においては、表示ランプである状態表示用ＬＥＤを集中制御装置の位置で確認しやすくすると使い勝手がよくなる。そこで、ロッカー扉の状態表示用ＬＥＤを設ける面を集中制御装置側に傾斜させたテーパ面とすることが考えられる。なお、ロッカー扉の両側にテーパ面を設けるとデザイン的にも優れたものとなる。
【０００４】
しかしながら、上記のようにすると集中制御装置の位置で操作している利用者には表示ランプを確認しやすくなるが、逆に、集中制御装置の反対側すなわちロッカー装置全体の左右両側からは表示ランプが見づらくなってしまう。
【０００５】
本発明は、ロッカー装置において、ロッカーユニットの両側からロッカーの使用状態を容易に確認できるようにすることを課題とする。
【課題を解決するための手段】
【０００６】
請求項１のロッカー装置は、ロッカーボックスと該ロッカーボックスにヒンジ部により開閉可能に取り付けられたロッカー扉とを有する複数のロッカーユニットを備えたロッカー装置において、前記ロッカー扉の前記ヒンジ部と反対側の自由端近傍に該ロッカー扉の前面から凹部をなして設けられた凹状把手部と、該凹状把手部からさらに前記自由端側に設けられていて前記ヒンジ部と反対側斜め方向に発光面を向けてロッカーユニットの使用状態を表示する第１発光部と、前記凹状把手部の凹部の内側であって前記ヒンジ部と反対側に設けられてロッカーユニットの使用状態を表示する第２発光部とを備え、前記第２発光部の発光面を前記凹状把手部の開口から視認できるようにしたことを特徴とする。
【０００７】
請求項２のロッカー装置は、請求項１に記載のロッカー装置であって、前記ロッカー扉は、該ロッカー扉の前面から前記自由端にかけて後方に傾斜する傾斜面を有し、前記第１発光部が該傾斜面に設けられていることを特徴とする。
【０００８】
請求項３のロッカー装置は、請求項１または２に記載のロッカー装置であって、前記複数のロッカーユニットを２組有し、両組の間に集中制御装置が設けられ、各ロッカーユニットのロッカー扉の自由端が該集中制御装置側となっていることを特徴とする。
【０００９】
請求項４のロッカー装置は、請求項１乃至３のいずれか一項に記載のロッカー装置であって、前記第１発光部と第２発光部に対応する光源を共通光源としたことを特徴とする。
【００１０】
請求項５のロッカー装置は、請求項４に記載のロッカー装置であって、前記共通光源が前記ロッカーボックスの框部に設けられ、前記第１発光部と第２発光部が該共通光源からの光を導光する導光部材で構成されていることを特徴とする。
【００１１】
請求項６のロッカー装置は、請求項５に記載のロッカー装置であって、前記ロッカー扉の前記自由端の裏面が前記框部の前面部に対向するよう該ロッカー扉とロッカーユニットが構成され、前記共通光源が前記框部の前記前面部に設けられていることを特徴とする。
【００１２】
請求項７のロッカー装置は、請求項５に記載のロッカー装置であって、前記ロッカー扉の閉状態で前記自由端が前記框部のロッカーボックス内側に収納可能となるように、該ロッカー扉と前記ロッカーユニットが構成され、前記共通光源が前記框部のロッカーボックス内側に設けられていることを特徴とする。
【００１３】
請求項８のロッカー装置は、請求項７に記載のロッカー装置であって、前記框部のロッカーボックス内側から前記ロッカー扉の自由端を介し入射する前記共通光源からの光を前記第１発光部を構成する前記導光部材に向けて反射する反射板を備えたことを特徴とする。
【発明の効果】
【００１４】
請求項１のロッカー装置によれば、第１発光部はロッカー扉のヒンジ部と反対側斜め方向に発光面を向けており、また、第２発光部は凹状把手部の凹部の内側でヒンジ部と反対側に設けられていて、該第２発光部の発光面を凹状把手部の開口から視認できるので、ロッカー扉の両側から第１発光部または第２発光部のいずれかによりロッカーユニットの使用状態（使用中であるか否か）を容易に確認できる。また、凹状把手部はロッカー扉の前面から凹部をなしているので、ロッカー扉に突出部分がなくデザイン的に優れている。
【００１５】
請求項２のロッカー装置によれば、請求項１の効果に加えて、ロッカー扉の傾斜面により、さらにデザイン的に優れたものとなる。
【００１６】
請求項３のロッカー装置によれば、請求項１または２の効果に加えて、集中制御装置側から見てどのロッカーユニットも同一種類の第１発光部を視認できるので、見栄えがよい。
【００１７】
請求項４のロッカー装置によれば、請求項１、２または３の効果に加えて、共通光源を用いているので、消費電力を抑えるとともにコストを低減できる。
【００１８】
請求項５のロッカー装置によれば、請求項４の効果に加えて、共通光源をロッカーボックスの框部に設けているので、この共通光源に対する配線等が容易になる。
【００１９】
請求項６のロッカー装置によれば、請求項５の効果に加えて次のような効果がえられる。ロッカー扉をロックする錠装置は框部（内部）に設けられ、ロッカー扉の施錠フック等を出し入れする切り欠き部が框部及び錠装置に形成されているが、閉状態でロッカー扉の自由端の裏面が框部の前面部に対向するので、上記切り欠き部を他の部材を用いないでロッカー扉自体で覆い隠すことができる。
【００２０】
請求項７のロッカー装置によれば、請求項５の効果に加えて、共通光源が框部のロッカーボックス内側に設けられているので、ロッカー扉を開いたときに正面から共通光源が見えることなく框部がデザイン的に優れたものとなる。
【００２１】
請求項８のロッカー装置によれば、請求項７の効果に加えて、反射板により共通光源からの光を第１発光部に対して効果的に照射することができ、この第１発光部を明るく発光させることができる。
【発明を実施するための最良の形態】
【００２２】
次に、本発明のロッカー装置の実施形態を図面を参照して説明する。図１は本発明の第１実施形態に係る貸しロッカー装置の外観正面図である。この貸しロッカー装置は集中制御装置２０を有し、その両側及び下側にそれぞれ複数のロッカーユニット１０を配置したものである。集中制御装置２０の前面には、利用者に情報を表示するＬＣＤ表示器の表示画面２０ａ、プリンタからレシートを排出するためのレシート出口２０ｂ、非接触ＩＣカードにより非接触で操作入力するための操作部２０ｃ、紙幣を投入するための紙幣投入口２０ｄ、硬貨を投入するための硬貨投入口２０ｅ、硬貨返却レバー２０ｆ、硬貨返却口２０ｇ及びマスタキー用シリンダ錠２０ｈが配設されている。
【００２３】
ロッカーユニット１０は、ロッカーボックス１とロッカー扉２を有し、ロッカー扉２は、ロッカーボックス１に対してヒンジ部１ａにより開閉自在に取り付けられている。そして、ロッカー扉２のヒンジ部１ａと反対側の自由端Ａ（図２参照）の近傍には、後述説明する凹状把手部３が設けられ、この凹状把手部３からさらに自由端Ａ側には２つの第１発光部４が設けられている。なお凹状把手部３の上には、ロッカー番号等を記した銘板５が設けられている。また、図１において集中制御装置２０の右側のロッカーユニット１０は左側のロッカーユニット１０を左右反転した構造になっている。
【００２４】
図２(A) はロッカーユニット１０の平断面図、図２(B) はロッカーユニット１０の正面図、図３はロッカー扉２を外した状態のロッカーボックス１の正面図である。図２に示すように、ロッカーボックス１のヒンジ部１ａと反対側の框部１ｂには錠装置５０埋設されており、ロッカー扉２から突出する施錠フック２ａが錠装置５０のラッチ５０ａ（図３）に係合して施錠される。このとき、ロッカー扉２は自由端Ａの裏面（框部１ｂ側の面）が框部１ｂの前面部に対向する。そして、框部１ｂ及び錠装置５０には、施錠フック２ａがラッチ５０ａと係合できるように切り欠き部５０ｂが形成されているが、ロッカー扉２を閉じた状態ではこの切り欠き部５０ｂ（及びラッチ５０ａ）はロッカー扉２によって覆い隠される。したがって、防犯性やデザイン性に優れている。
【００２５】
ロッカー扉２の両側縁はそれぞれ傾斜面２１，２２を有し、自由端Ａ側の傾斜面２１に前記第１発光部４が設けられている。凹状把手部３はロッカー扉２の前面２Ａから凹部３ａを形成する半円形の開口３１Ａを有している。また、図３に示すように、ロッカーボックス１の框部１ｂには、錠装置５０に設けられた「共通光源」としての２つのＬＥＤランプ６が配設されている。この第１実施形態では、ＬＥＤランプ６は框部１ｂの前面部において、第１発光部４に対応する位置に設けられており、ロッカーユニット１０が使用中の時に点灯される。
【００２６】
図４は図２(A) の二点差線の円で囲った部分の拡大平断面図、図５は凹状把手部３及び第１発光部４の要部分解斜視図であり、第１発光部４は、傾斜面２１の内側に配設されたレンズガイド４１で構成されており、このレンズガイド４１はレンズ部４１ａと脚部４１ｂを有している。レンズガイド４１はＡＢＳ樹脂等の透明な合成樹脂で形成されている。また、ロッカー扉２のＬＥＤランプ６と対抗する部分には透孔２３が形成され、後述の取り付け金具３３，３４のＬＥＤランプ６と対抗する部分には切り欠き３３ａと透孔３４ａきが形成されている。そして、レンズ部４１ａが傾斜面２１の透孔２１ａから外側に望まされており、ＬＥＤランプ６の光がこのレンズ部４１ａを発光させる。
【００２７】
凹状把手部３は、ロッカー扉２内に埋設された取っ手部３１と第２発光部としての導光板３２とを有しており、取っ手部３１は不透明な合成樹脂で形成され、導光板３２はＡＢＳ樹脂等の透明な合成樹脂で形成されている。取っ手部３１は、ロッカー扉２の前面２Ａから内側に窪んだ形状をしており、その最奥側には半円形の手当たり部３１ａを有している。そして、この取っ手部３１は、ロッカー扉２の前面２Ａ側の半円形の開口部に整合する開口部３１Ａ（図５）と、導光板３２側の長方形の開口部３１Ｂ（図５）とを有している。導光板３２は取っ手部３１の長方形の開口部３１Ｂに嵌合され、この取っ手部３１と導光板３２とを一体にしたアッセンブリがロッカー扉２に埋設されている。
【００２８】
取っ手部３１は取り付け金具３４（図４）によりロッカー扉に取り付けられ、導光板３２は取り付け金具３３（図４）により取り付け金具３３及び取っ手部３１に固定されている。そして、取り付け金具３３には、２つのＬＥＤランプ６に対応する位置に切り欠３３ｂが形成されており、ＬＥＤランプ６からの光により導光板３２が発光する。この導光板３２の発光は、開口部３１Ａを介して前記ヒンジ部１ａ側の斜め方向から視認することができる。
【００２９】
したがって、利用者は集中制御装置２０の位置で操作を行うとき、この集中制御装置２０の両側のロッカーユニット１０に対して、どのユニットでも第１発光部４により使用中であるか否かを容易に確認できる。また、第１発光部４の反対側から見たときには、凹状把手部３の開口部から使用中であるか否かを容易に確認できる。
【００３０】
図６は本発明の第２実施形態に係る貸しロッカー装置の外観正面図である。この貸しロッカー装置は集中制御装置４０を有し、その両側及び下側にそれぞれ複数のロッカーユニット３０を配置したものである。集中制御装置４０の前面には、利用者に情報を表示するＬＣＤ表示器の表示画面４０ａ、プリンタからレシートを排出するためのレシート出口４０ｂ及び非接触ＩＣカードで操作入力するための操作部４０ｃが配設されている。
【００３１】
ロッカーユニット３０は、ロッカーボックス１１とロッカー扉１２を有し、ロッカー扉１２は、ロッカーボックス１１に対してヒンジ部１１ａにより開閉自在に取り付けられている。そして、ロッカー扉１２のヒンジ部１１ａと反対側の自由端Ａ（図７参照）の近傍には、後述説明する凹状把手部１３が設けられ、この凹状把手部１３からさらに自由端Ａ側には２つの第１発光部１４が設けられている。
【００３２】
図７(A) はロッカーユニット３０の平断面図、図７(B) はロッカーユニット３０の正面図、図８はロッカー扉１２を外した状態のロッカーボックス１１の正面図である。図７に示すように、ロッカーボックス１１のヒンジ部１１ａと反対側の框部１１ｂには錠装置６０が埋設されており、ロッカー扉１２から突出する施錠フック１２ａが錠装置６０に係合して施錠される。
【００３３】
ロッカー扉１２の自由端Ａには水平断面の形状がＬ字型の化粧板１７が取り付けられている。化粧板１７は錠装置６０の前面の一部を覆うような長半円形状のカバー板１７ａを有し、ロッカー扉１２が閉状態のとき、このカバー板１７ａが錠装置６０の前面部の一部に対向する。そして、錠装置６０には、施錠フック１２ａがラッチ６０ａと係合できるように切り欠き部６０ｂが形成されているが、ロッカー扉１２を閉じた状態ではこの切り欠き部６０ｂ（及びラッチ６０ａ）はカバー板１７ａによって覆い隠される。したがって、防犯性やデザイン性に優れている。
【００３４】
ロッカー扉１２の両側縁はそれぞれ傾斜面１２１，１２２を有し、自由端Ａ側の傾斜面１２１に前記第１発光部１４が設けられている。凹状把手部１３はロッカー扉１２の前面１２Ａから凹部１３ａを形成する半円形の開口１３１Ａを有している。また、図８に示すように、ロッカーボックス１１の框部１１ｂには、錠装置６０に設けられた「共通光源」としての２つのＬＥＤランプ１６が配設されている。図９に示すように、この第２実施形態では、ＬＥＤランプ１６は框部１１ｂの前面部において、閉状態のロッカー扉１２の自由端Ａに対向する位置に設けられており、ロッカーユニット３０が使用中の時に点灯される。
【００３５】
図９は図７(A) の二点差線の円で囲った部分の拡大平断面図、図１０は凹状把手部１３及び第１発光部１４の要部分解斜視図であり、第１発光部１４は、傾斜面１２１の内側に配設されたレンズガイド１４１で構成されており、このレンズガイド１４１はレンズ部１４１ａと脚部１４１ｂを有している。レンズガイド１４１はＡＢＳ樹脂等の透明な合成樹脂で形成されている。
【００３６】
また、凹状把手部１３は、ロッカー扉２内に埋設された取っ手部１３１と第２発光部としての導光板１３２とを有している。取っ手部１３１は不透明な合成樹脂で形成され、導光板１３２はＡＢＳ樹脂等の透明な合成樹脂で形成されている。取っ手部１３１は、ロッカー扉１２の前面１２Ａから内側に窪んだ形状をしており、その最奥側には半円形の手当たり部１３１ａを有している。そして、この取っ手部１３１は、ロッカー扉１２の前面１２Ａ側の半円形の開口部に整合する開口部１３１Ａ（図１０）と、導光板１３２側の長方形の開口部１３１Ｂ（図１０）とを有している。
【００３７】
導光板１３２は取っ手部１３１の長方形の開口部１３１Ｂに嵌合され、この取っ手部１３１と導光板１３２とを一体にしたアッセンブリがロッカー扉１２に埋設されている。また、取っ手部１３１は取り付け金具１３４（図９）によりロッカー扉１２に取り付けられ、導光板１３２は取り付け金具１３３（図９）により取り付け金具１３３及び取っ手部１３１に固定されている。
【００３８】
レンズガイド１４１，１４１と導光板１３２の間には、金属反射部材１５が配設されている。この金属反射部材１５は、レンズガイド１４１，１４１に対応する位置に反射板１５１，１５１を有している。また、図９に示すように、ロッカー扉１２の自由端Ａと化粧板１７には、ＬＥＤランプ１６と対抗する部分に透孔１２３，１７１が形成されている。そして、レンズ部１４１ａが傾斜面１２１の透孔１２１ａから外側に望まされており、ＬＥＤランプ１６の光は、金属反射部材１５の反射板１５１で一部反射され、その反射光がレンズ部１４１ａを発光させる。また、ＬＥＤランプ１６の光はその一部が反射板１５１の脇を通って導光板１３２に照射され、この導光板１３２が発光する。この導光板１３２の発光は、開口部１３１Ａを介して前記ヒンジ部１１ａ側の斜め方向から視認することができる。
【００３９】
したがって、利用者は集中制御装置４０の位置で操作を行うとき、この集中制御装置４０の左側のロッカーユニット３０に対しては、第１発光部１４により使用中であるか否かを容易に確認でき、右側のロッカーユニット３０に対しては、凹状把手部１３の開口部から使用中であるか否かを容易に確認できる。
【００４０】
なお、この第２実施形態では、集中制御装置４０の両側のロッカーユニット３０の勝手が左右逆にはなっていないが、第１実施形態と同様に、左右のロッカーユニットの勝手が逆で、ロッカーユニット３０のロッカー扉１２の自由端Ａが集中制御装置４０側になっていてもよい。
【００４１】
以上の実施形態では、ＬＥＤランプ１６がロッカーボックス１１の框部１１ｂ側に配設されているが、ロッカー扉１２側に設けてもよい。また、第１発光部と第２発光部のそれぞれに光源を設けることもできる。
【図面の簡単な説明】
【００４２】
【図１】本発明の第１実施形態に係る貸しロッカー装置の外観正面図である。
【図２】第１実施形態のロッカーユニットの平断面図及び正面図である。
【図３】第１実施形態におけるロッカー扉を外した状態のロッカーボックスの正面図である。
【図４】第１実施形態におけるロッカー扉の自由端側近傍の拡大平断面図である。
【図５】第１実施形態における凹状把手部及び第１発光部の要部分解斜視図である。
【図６】本発明の第２実施形態に係る貸しロッカー装置の外観正面図である。
【図７】第２実施形態のロッカーユニットの平断面図及び正面図である。
【図８】第２実施形態におけるロッカー扉を外した状態のロッカーボックスの正面図である。
【図９】第２実施形態におけるロッカー扉の自由端側近傍の拡大平断面図である。
【図１０】第２実施形態における凹状把手部及び第１発光部の要部分解斜視図である。
【符号の説明】
【００４３】
１０，３０    ロッカーユニット
１，１１      ロッカーボックス
１ａ，１１ａ  ヒンジ部
２，１２      ロッカー扉
３，１３      凹状把手部
３２，１３２  導光板（第２発光部）
４，１４      第１発光部
６，１６      ＬＥＤランプ（共通光源）
【図１】
0005107025.tif 000002
【図２】
0005107025.tif 000003
【図３】
0005107025.tif 000004
【図４】
0005107025.tif 000005
【図５】
0005107025.tif 000006
【図６】
0005107025.tif 000007
【図７】
0005107025.tif 000008
【図８】
0005107025.tif 000009
【図９】
0005107025.tif 000010
【図１０】
0005107025.tif 000011